(57)【要約】      （修正有）【課題】保存されていた各成分を別々に分注して単一の生成物流になるように混合し、交叉汚染の危険性を削減又は排除し、一方の成分の他方の成分に対する比率を傾斜角度に関係なく正確に計量し、経済的に製造され得る、改良された複室ボトルを提供する。【解決手段】複室ボトルは、第一室２ａ及び第二室２ｂと、計量段と、注出口３と、キャップ４とを含む。計量段は、第一室及び第二室のそれぞれの口に連結可能な第一及び第二計量段部を含む。各計量段部は、液体注入口と液体排出口とを有するノズルと、各室の外側に配置される空気取入口及び各室の内側に配置される空気排出口をその両端部に有する通気管とを備え、通気管は、空気取入口の中心と液体排出口の中心とを通る線がボトルの法線軸と鋭角を成すようにノズルに対して配置される。【選択図】図１Ａ
2015221691.tif 000002
【特許請求の範囲】
【請求項１】
第一室及び第二室と、
計量段と、
注出口と
を備える複室ボトルであって、
前記計量段は、
前記第一室及び前記第二室のそれぞれの口に連結され、前記ボトルの法線中心面によって分けられた第一及び第二計量段部を含み、前記各計量段部は、前記第一室及び前記第二室のそれぞれに対応し、前記各計量段部は、
前記ボトルの縦軸に沿って液体注入口から延在するように液体排出口に向かって先細りするノズルと、前記液体排出口を囲む周縁部と、
前記各室の外側に配置される空気取入口と前記各室の内側に配置される空気排出口とをその両端部に有する通気管とを備え、
前記通気管は、前記空気取入口の中心と前記液体排出口の中心とを通る線が、前記液体排出口の中心を通りかつ前記ボトルの法線軸と平行である線と鋭角を成すように、前記ノズルに対して配置され、
前記注出口は、前記計量段に取り外し可能に取り付けられ、前記第一及び前記第二計量段部の前記各ノズルのそれぞれに対応する第一及び第二注出路を含み、前記各注出路は、
それぞれの前記ノズルに連結する液体入口と、
液体出口と
を含み、前記液体出口は、前記ボトルの横軸に沿って前記ボトルの前記法線中心面から離れて延在するように狭まる開口と、前記開口の少なくとも一部分を囲む段差縁と、前記ボトルの前記法線中心面に最も近い前記開口の一部に近接して配置される仕切りとを有し、
前記注出路の壁の少なくとも一部は、前記液体入口から前記液体出口に延在するように前記ボトルの前記法線中心面に向かう方向に傾斜する、複室ボトル。
【請求項２】
前記第一室及び前記第二室のうちの少なくとも一つは、前記第一室及び前記第二室のうちの少なくとも一つから突出する第一ネスト部を含み、前記第一室及び前記第二室のうちの少なくとも一つは、前記第一ネスト部を受容する第二ネスト部を含む、請求項１に記載のボトル。
【請求項３】
前記ノズルの前記液体排出口を囲む前記周縁部は、前記ノズルの最も幅の広い部分と交差する管状壁を含む、請求項１に記載のボトル。
【請求項４】
前記各計量段部の少なくとも一つにおいて、前記ボトルの前記縦軸に沿った前記ノズルの前記液体排出口から前記通気管の前記空気排出口までの距離は、前記室の高さの１０％、前記室の高さの２０％、前記室の高さの３０％、前記室の高さの４０％、前記室の高さの２５％から３３％、前記室の高さの２０％から４０％、前記室の高さの１０％から６０％、及び前記室の高さの５％から９０％のうちの少なくとも一つに相当する、請求項１に記載のボトル。
【請求項５】
前記各計量段部の少なくとも一つにおいて、前記ノズルの前記液体排出口及び前記通気管の前記空気取入口は、前記ボトルの前記縦軸に沿って前記室の基部から同一距離に配置される、請求項１に記載のボトル。
【請求項６】
前記各計量段部の少なくとも一つにおいて、前記ノズルの前記液体排出口及び前記通気管の前記空気取入口は、前記ボトルの縦軸に沿って前記室の前記基部から同じ距離に配置され、前記ノズルの前記液体排出口の中心から前記通気管の前記空気取入口の中心までの距離は、前記通気管の長さの５％、前記通気管の長さの１０％、前記通気管の長さの２０％、前記通気管の長さの２５％、前記通気管の長さの３３％、前記通気管の長さの５０％、前記通気管の長さの１０％から２５％、及び前記通気管の長さの５％から５０％のうちの少なくとも一つに相当する、請求項１に記載のボトル。
【請求項７】
前記空気取入口の中心及び前記液体排出口の中心を通る前記線と、前記液体排出口の中心を通りかつ前記ボトルの前記法線軸と平行である前記線とによって形成される前記第一計量段部の前記鋭角は、前記空気取入口の中心及び前記液体排出口の中心を通る前記線と、前記液体排出口の中心を通りかつ前記ボトルの前記法線軸と平行である前記線とによって形成される前記第二計量段部の前記鋭角とは異なる、請求項１に記載のボトル。
【請求項８】
前記各計量段部の少なくとも一つにおいて、前記空気排出口は、前記通気管の壁から径方向内側に伸張するフランジによって形成され、それにより前記空気排出口の直径が前記フランジに近接する前記通気管の内径よりも小さくなる、請求項１に記載のボトル。
【請求項９】
前記計量段は、
前記各計量段部の間に配置された少なくとも一つのガイドタブを備え、
前記注出口は、前記ガイドタブに対応する面を有し、それにより、前記注出口が前記ボトルに装着されるときに、前記ガイドタブが前記面に接触して前記注出口と前記計量段との位置合わせを支援する、請求項１に記載のボトル。
【請求項１０】
前記注出路の前記壁の少なくとも一部は、前記液体入口から前記液体出口に延在するように前記ボトルの横方向の中心面から離れる方向に傾斜する、請求項１に記載のボトル。
【請求項１１】
前記注出口に取り外し可能に取り付けできるキャップを備え、
前記キャップの一部は、前記各段差縁や前記各仕切りを含む前記注出口の前記各液体出口に対応し、前記キャップが前記ボトルに装着されると、前記キャップの前記一部は、液体が前記注出口の前記各液体出口を通って流出するのを妨げるようにする、請求項１に記載のボトル。
【請求項１２】
保存用に、また、少なくとも前記各通気管の前記各空気取入口と前記各ノズルの前記各液体排出口とを覆うために、前記計量段と前記注出口との間に取り外し可能に配置されたスペーサ又はフォイルのうち少なくとも一つを備える、請求項１に記載のボトル。
【請求項１３】
第一室と第二室とを含む複室ボトルのための計量段であって、
前記計量段は、
前記ボトルの法線中心面によって分けられるように、前記第一室及び前記第二室のそれぞれの口に連結可能な第一計量段部と第二計量段部とを備え、前記各計量段部は、前記第一室と前記第二室のそれぞれに対応し、前記各計量段部は、
液体注入口と液体排出口とを有するノズルと、
前記各室の外側に配置される空気取入口と前記各室の内側に配置される空気排出口とをその両端に有する通気管と
を備え、
前記通気管は、前記空気取入口の中心と前記液体排出口の中心とを通る線が、前記液体排出口の中心を通りかつ前記ボトルの法線軸と平行である線と鋭角を成すように、前記ノズルに対して配置される、計量段。
【請求項１４】
前記各第一及び第二計量段部の前記各ノズルの少なくとも一つは、前記液体排出口から液体を収集するために、前記液体排出口を少なくとも部分的に囲む周縁部を含む、請求項１３に記載の計量段。
【請求項１５】
前記周縁部は、前記液体排出口を完全に囲む、請求項１４に記載の計量段。
【請求項１６】
前記各計量段部の少なくとも一つにおいて、前記ノズルの前記液体排出口と前記通気管の前記空気取入口は、縦軸に沿って前記計量段部の本体から同じ距離に配置される、請求項１３に記載の計量段。
【請求項１７】
前記各計量段部の少なくとも一つにおいて、前記ノズルの前記液体排出口と前記通気管の前記空気取入口は、縦軸に沿って前記計量段部の本体から同じ距離に配置され、前記ノズルの前記液体排出口の前記中心から前記通気管の前記空気取入口の前記中心までの距離は、前記通気管の長さの５％、前記通気管の長さの１０％、前記通気管の長さの２０％、前記通気管の長さの２５％、前記通気管の長さの３３％、前記通気管の長さの５０％、前記通気管の長さの１０％から２５％、及び前記通気管の長さの５％から５０％のうちのいずれか一つに相当する、請求項１３に記載の計量段。
【請求項１８】
前記空気取入口の前記中心及び前記液体排出口の前記中心を通る前記線と、前記液体排出口の前記中心を通りかつ前記ボトルの前記法線軸と平行である前記線とによって形成される前記第一計量段部の前記鋭角は、前記空気取入口の前記中心及び前記液体排出口の前記中心を通る前記線と、前記液体排出口の前記中心を通りかつ前記ボトルの前記法線軸と平行である前記線とによって形成される前記第二計量段部の前記鋭角とは異なる、請求項１３に記載の計量段。
【請求項１９】
前記各計量段部の少なくとも一つにおいて、前記空気排出口は、前記通気管の壁から径方向内側に伸張するフランジによって形成され、それにより前記空気排出口の直径が前記フランジに近接する前記通気管の内径よりも小さくなる、請求項１３に記載の計量段。
【請求項２０】
前記第一及び前記第二計量段部はブリッジ部によって結合され、それにより前記第一室及び前記第二室の前記各口に連結された前記計量段が、少なくとも部分的に前記第一室と前記第二室とを保持する構造上の実体として機能するようになる、請求項１３に記載の計量段。
【請求項２１】
第一室と第二室とを含む複室ボトルの注出口であって、前記注出口は、
前記複室ボトルの計量段の各ノズルにそれぞれ対応する第一注出路と第二注出路と
を備え、
前記各注出路は、
前記各ノズルに連結可能な液体入口と、
前記ボトルの横軸に沿って前記ボトルの前記法線中心面から離れて延在するように狭まる開口を有する液体出口と
を含み、
前記注出路の壁の少なくとも一部は、前記液体入口から前記液体出口に延在するように前記ボトルの法線中心面に向かう方向と、前記液体入口から前記液体出口に延在するように前記ボトルの横方向の中心面から離れる方向とに傾斜する、注出口。
【請求項２２】
使用者の指用の把持部を含む請求項２１に記載の注出口であって、
前記把持部は、前記ボトルの前記第一室及び前記第二室が重力の方向と等しくなる位置から４５度の範囲内に使用者が前記ボトルを傾けることを支援するように構成される、注出口。
【請求項２３】
前記開口の少なくとも一部を囲む段差縁と、前記ボトルの前記法線中心面に最も近い前記開口の一部に近接して配置される仕切りとを備える、請求項２１に記載の注出口。
【発明の詳細な説明】
【技術分野】
【０００１】
本開示は、一般に、液体を保持及び分注するボトルに関する。特に、本開示は、計量段、注出口及びキャップを有するボトルに関する。
【背景技術】
【０００２】
最近の液体製品を分注する際には、液体製品の各成分を最終生産物内に投入する直前まで、各成分を分離しておくことが望ましい場合がある。例えば、製品を分注する前に洗口液の二つの成分を分離しておくことは、各成分の好ましくない早期反応を避けるために必要となることがある。各原料の分離の維持が望ましい他の消費材の例には、シャンプーにおける界面活性剤とコンディショナー成分や、ボディソープ（shower gels）における界面活性剤とモイスチャー成分などがある。
【０００３】
場合によっては、各成分がボトルを出た後でのみ混合することが重要であるだけでなく、ボトル内で一つの成分が別の成分を汚染しないことも重要である。分注後、一方又は他方の成分の多少の残留物が、ボトルの分注領域に残っている可能性がある。これにより、他方の液体を保持する室に一方の液体成分が入り込み得るクロスコンタミネーション（交叉汚染）の危険性を引き起こすかもしれない。
【０００４】
幾つかの用途では、一方の成分の他方の成分に対する特定の比率は、最終生産物を効果的にするために、また過度に希釈若しくは濃縮させないために重要となる場合がある。従来から、一方の成分の他方の成分に対する比率の計量は課題であり、なぜならば特に、使用者が分注時にボトルを傾けるので、ボトルの傾斜角度は非常に制御不能であるからである。
【発明の概要】
【発明が解決しようとする課題】
【０００５】
それゆえ、ａ）保存されていた各成分を別々に分注して単一の生成物流になるように混合し、ｂ）交叉汚染の危険性を削減又は排除し、ｃ）一方の成分の他方の成分に対する比率を傾斜角度に関係なく正確に計量し、ｄ）経済的に製造され得る、改良された複室ボトルが必要である。
【課題を解決するための手段】
【０００６】
本開示は、第一室、第二室、計量段、注出口及びキャップを有する複室ボトルを提供する。計量段及び注出口の特殊設計が滑らかな液体の流れを促進し、各液体成分を別々に分注できるようにする。一実施形態において、各液体成分のうち少なくとも二つは、塗布容器内に落ちる前に「空気中で」混ざり合って単一の生成物流となる。また、計量段及び注出口の特殊設計は、液体の流れを外側方向にのみ促進し、各成分液が各室に再侵入しないようにして自己汚染及び／又は交叉汚染を防止する。計量段及び注出口の特殊設計は、さらに、傾斜角度に関わらずに一方の成分の他方の成分に対する比率を正確に計量する。本開示の複室ボトルは、経済的に製造可能でもある。
【０００７】
本発明のこれらの特徴及び更なる特徴は、添付図面を参照して説明される。本明細書や各図面においては、本発明の特定の実施形態は、本発明の各原理が採用され得る複数の方法のうちの幾つかを示すものとして詳細に開示されているが、本発明は、それらの範囲内に相応して制限されるものではないと考えられる。むしろ、本発明は、添付の請求項の文言に入る全ての変更物、修正物、及び等価物を含んでいる。
【０００８】
本明細書に組み込まれ、本明細書の一部を構成する各添付図面は、本発明の各態様のさまざまな実施形態を説明するさまざまな例示的なシステム、方法等を示している。各図面における例示的な要素の範囲（例えば、各箱、各箱の各グループ、又は他の形状）は、各範囲の一例を表していることが理解されるであろう。一要素は、複数の要素として設計されてもよく、又、複数の要素は、一つの要素として設計されてもよいことを当業者は理解するであろう。別の要素の内部構成要素として示される要素は、外部構成要素として実装されてもよく、またその逆の場合も同様である。さらに、各要素は、正確な縮尺率で描写されていない場合がある。
【図面の簡単な説明】
【０００９】
【図１Ａ】図１Ａは、例示的な複室ボトルの正面斜視図である。
【図１Ｂ】図１Ｂは、図１Ａの例示的な複室ボトルの正面図である。
【図１Ｃ】図１Ｃは、図１Ａの例示的な複室ボトルの左側面図である。
【図１Ｄ】図１Ｄは、図１Ａの例示的な複室ボトルの右側面図である。
【図１Ｅ】図１Ｅは、図１Ａの例示的な複室ボトルの背面図である。
【図１Ｆ】図１Ｆは、図１Ａの例示的な複室ボトルの上面図である。
【図１Ｇ】図１Ｇは、図１Ａの例示的な複室ボトルの底面図である。
【図１Ｈ】図１Ｈは、図１Ｃの線１Ｈ−１Ｈに沿った例示的な複室ボトルの断面図である。
【図１Ｉ】図１Ｉは、図１Ｂの線ＩＩ−ＩＩに沿った例示的な複室ボトルの断面図である。
【図２Ａ】図２Ａは、キャップを外した状態の例示的な複室ボトルの正面斜視図である。
【図２Ｂ】図２Ｂは、図２Ａの例示的な複室ボトルの正面図である。
【図２Ｃ】図２Ｃは、図２Ａの例示的な複室ボトルの左側面図である。
【図２Ｄ】図２Ｄは、図２Ａの例示的な複室ボトルの右側面図である。
【図２Ｅ】図２Ｅは、図２Ａの例示的な複室ボトルの背面図である。
【図２Ｆ】図２Ｆは、図２Ａの例示的な複室ボトルの上面図である。
【図２Ｇ】図２Ｇは、図２Ａの例示的な複室ボトルの底面図である。
【図２Ｈ】図２Ｈは、図２Ａの例示的な複室ボトルの背面斜視図である。
【図３Ａ】図３Ａは、キャップ又は注出口を外した状態の例示的な複室ボトルの正面斜視図である。
【図３Ｂ】図３Ｂは、図３Ａの例示的な複室ボトルの正面図である。
【図３Ｃ】図３Ｃは、図３Ａの例示的な複室ボトルの左側面図である。
【図３Ｄ】図３Ｄは、図３Ａの例示的な複室ボトルの右側面図である。
【図３Ｅ】図３Ｅは、図３Ａの例示的な複室ボトルの背面図である。
【図３Ｆ】図３Ｆは、図３Ａの例示的な複室ボトルの上面図である。
【図３Ｇ】図３Ｇは、図３Ａの例示的な複室ボトルの底面図である。
【図４Ａ】図４Ａは、キャップ、注出口又は封止カバーを外した状態の例示的な複室ボトルの正面斜視図である。
【図４Ｂ】図４Ｂは、図４Ａの例示的な複室ボトルの正面図である。
【図４Ｃ】図４Ｃは、図４Ａの例示的な複室ボトルの左側面図である。
【図４Ｄ】図４Ｄは、図４Ａの例示的な複室ボトルの右側面図である。
【図４Ｅ】図４Ｅは、図４Ａの例示的な複室ボトルの背面図である。
【図４Ｆ】図４Ｆは、図４Ａの例示的な複室ボトルの上面図である。
【図４Ｇ】図４Ｇは、図４Ａの例示的な複室ボトルの底面図である。
【図５Ａ】図５Ａは、キャップ又は封止カバーを外した状態の例示的な複室ボトルの正面斜視図である。
【図５Ｂ】図５Ｂは、図５Ａの例示的な複室ボトルの正面図である。
【図５Ｃ】図５Ｃは、図５Ａの例示的な複室ボトルの左側面図である。
【図５Ｄ】図５Ｄは、図５Ａの例示的な複室ボトルの右側面図である。
【図５Ｅ】図５Ｅは、図５Ａの例示的な複室ボトルの背面図である。
【図５Ｆ】図５Ｆは、図５Ａの例示的な複室ボトルの上面図である。
【図５Ｇ】図５Ｇは、図５Ａの例示的な複室ボトルの底面図である。
【図５Ｈ】図５Ｈは、図５Ａの例示的な複室ボトルの背面斜視図である。
【図６】図６は、図５Ｄの線ＶＩ−ＶＩに沿った例示的な複室ボトルの断面図である。
【図７】図７は、図５Ｈの線ＶＩＩ−ＶＩＩに沿った例示的な複室ボトルの断面図である。
【図８】図８は、図４Ａの例示的な複室ボトルの拡大上面図である。
【図９】図９は、注出角度を示す例示的な複室ボトルの斜視図である。
【図１０】図１０は、注出角度を示す例示的な複室ボトルの斜視図である。
【図１１Ａ】図１１Ａは、封止カバーを外した状態の例示的な複室ボトルの正面斜視図である。
【図１１Ｂ】図１１Ｂは、図１１Ａの例示的な複室ボトルの正面図である。
【図１１Ｃ】図１１Ｃは、図１１Ａの例示的な複室ボトルの左側面図である。
【図１１Ｄ】図１１Ｄは、図１１Ａの例示的な複室ボトルの右側面図である。
【図１１Ｅ】図１１Ｅは、図１１Ａの例示的な複室ボトルの背面図である。
【図１１Ｆ】図１１Ｆは、図１１Ａの例示的な複室ボトルの上面図である。
【図１１Ｇ】図１１Ｇは、図１１Ａの例示的な複室ボトルの底面図である。
【発明を実施するための形態】
【００１０】
図１Ａから図１１Ｇは、例示的な複室ボトル１のさまざまな図である。説明を容易にするために、図１Ａに示すように、ａ）横軸ｘ及び縦軸ｙを含み、ボトル１を前部と後部に切り分ける横方向の中心面をＬＡＴ（lateral center plane）とし、ｂ）法線軸ｚ及び縦軸ｙを含み、ボトル１を左部と右部に切り分ける法線中心面をＮＯＲ（normal center plane）と定義する。
【００１１】
図１Ａから図１Ｇは、ボトル１が販売や流通に先立って売却又は保管される場合の構成におけるボトル１を示している。ボトル１は、注出および混合されるそれぞれの液体を保持できる二つの室２ａ及び２ｂを含む。ボトル１は、以下に詳細に説明するように、室２ａ及び室２ｂから各液体の注出や混合を支援する注出口３をさらに含む。説明を行うために、ボトル１は、本明細書において二つの室２ａ及び２ｂを含むものとして開示されているが、幾つかの実施形態においては、ボトル１は、二つより多い室を含んでいてもよい。さらに、ボトル１は、本明細書において二つの室２ａ及び室２ｂを含む単一のボトル１として開示されているが、幾つかの実施形態においては、ボトル１は、互いに結合された二つ以上のボトルを組み込む装置であってもよい。
【００１２】
図示の実施形態では、第一室２ａ及び第二室２ｂは、法線中心面（ＮＯＲ）によって分離される。室２ａは、室２ａの基部１８ａから肩部１７ａに延在するように、ボトル１の法線中心面（ＮＯＲ）に向かう方向に傾斜する少なくとも一つの壁を含む。室２ｂは、室２ｂの基部１８ｂから肩部１７ｂに延在するように、ボトル１の法線中心面（ＮＯＲ）に向かう方向に傾斜する少なくとも一つの壁を含む。別の実施形態において、室２ａ及び室２ｂは、図示の形状と異なる形状であってもよい。
【００１３】
図１Ｈ及び図１Ｉは、図１Ｃの線ＩＨ−ＩＨ及び図１Ｂの線ＩＩにそれぞれ沿った例示的な複室ボトルの断面図である。図１Ｈ及び図１Ｉの例示的な実施形態において、第一室２ａ及び第二室２ｂは、各室から突出する第一ネスト部（nesting portion）２ａａ、２ｂａと、対向する室の第一ネスト部を受容する第二ネスト部（nesting portion）２ａｂ、２ｂｂをそれぞれ含んでいる。これによって、各室が互いに前後に移動するのを防ぐ。一実施形態（不図示）では、ボトル１は、突出及び受容する各ネスト部を一組だけ有しているが、別の実施形態（不図示）では、ボトル１は、突出及び受容するネスト部を二組より多く有している。図１Ｈ及び図１Ｉの例示的な実施形態では、各ネスト部２ａａ、２ａｂ、２ｂａ、２ｂｂは、ある特定の大きさの部分的な球体として示されているが、これらのネスト部は、各室が互いに前後に移動するのを防ぐ他の如何なる形状及び／又は大きさであってもよい。
【００１４】
一実施形態において、室２ａ及び室２ｂは、別々に組み立てられ、収縮或いはボトル１の周囲に巻き付くラベル貼り（labeling）によって結合される。別の実施形態（不図示）では、ボトル１は、室２ａ及び室２ｂの基部１８ａ及び１８ｂ付近に装着されたクリップを含み、該クリップは、注出口３や計量段６（図３Ａ参照）などのボトル１の他の構成要素と共に室２ａと室２ｂとを保持する。さらに別の実施形態では、室２ａ及び室２ｂは、互いに一体化して組み立てられる。
【００１５】
ボトル１は、以下にも詳細に説明するように、初回の使用後、保存中に各液体がボトル１から出ないようにするキャップ４も含む。以下にも詳細に説明するように、キャップ４は、二つの液体の混合物が注入される容器としても機能する。キャップ４は、ボトル１に取り外し可能に取り付けられる。
【００１６】
図２Ａから図２Ｈは、キャップ４を外した状態のボトル１を示している。以下に詳細に説明するように、注出口３は、第一注出路５ａ及び第二注出路５ｂを含み、液体がそれらを通ってそれぞれ室２ａ及び室２ｂからボトル１の外に流出する。注出口３は、ボトル１に取り外し可能に取り付けられてもよい。
【００１７】
図３Ａから図３Ｇは、注出口３が取り外された状態のボトル１を示している。ボトル１は、口８ａ及び８ｂでそれぞれ室２ａ及び室２ｂに連結される計量段６を含む。以下に詳細に説明するように、計量段６は、室２ａ及び室２ｂから流れる液体を制御する重要な役割を果たす。
【００１８】
まず購入した時点で、ボトル１は、室２ａ及び室２ｂから各液体を分注する前に取り外しが必要な少なくとも一つの安全カバー又はシール７を有していてもよい。使用者は、最初にキャップ４を外して、次に注出口３を外すことによってシール７まで到達し、シール７を除去できる。図示された実施形態では、カバー７はプラスチック製のカバーであり、該カバーは、計量段６に取り外し可能に取り付けられ、計量段６の液体出口９ａ及び９ｂと空気取入口１０ａ及び１０ｂを効果的に覆って液体が計量段６を通って流れることを防ぐ。例えば、使用前、また、ボトル１が小売店の棚に置かれる際、安全カバー７は、注出口と計量段との間のスペーサとしての役割を果たす。使用時には、スペーサは取り外され、注出口が計量段と係合して段上に降りてくる。
【００１９】
別の実施形態では、ボトル１は、計量段６の各口を覆う安全な金属箔のカバーを含む。さらに別の実施形態では、ボトル１は、計量段６の各口を覆うためにプラスチック製のカバー７と安全な金属箔の両方を含む。別の実施形態（不図示）では、ボトル１は、計量段６の各口を覆うコルク栓を含む。
【００２０】
図４Ａから図４Ｇは、カバー７が取り外された状態のボトル１を示している。計量段６は、法線中心面（ＮＯＲ）によって分けられる第一計量段部６ａと第二計量段部６ｂとを含む。各計量段部６ａ及び６ｂは、第一室２ａ及び第一室２ｂにそれぞれ対応し、第一室２ａ及び第二室２ｂの口８ａ及び８ｂにそれぞれ連結可能である。計量段６は、ノズル９ａ及び９ｂと通気管１０ａ及び１０ｂとを含み、それらは以下に詳細に説明される。例示的な実施形態において、計量段部６ａ及び６ｂは、ブリッジ６ｃによって結合される。別の実施形態（不図示）では、計量段部６ａ及び６ｂは、互いに離れているので結合されない。
【００２１】
カバー７を取り外した後、注出口３をボトル１に再装着することができる。図４Ａから図４Ｇの例示的な実施形態では、計量段６は、計量段部６ａと６ｂとの間に配置されたガイドタブ１１を含む。注出口３は、ガイドタブ１１に対応する面を有し、それにより注出口３がボトル１に再装着されるときに、ガイドタブ１１が注出口３の当該面に接触し、注出口３と計量段６との位置合わせを支援する。
【００２２】
図５Ａから図５Ｈは、注出口３がボトル１に再装着された状態のボトル１を示している。図６は、（図５Ｄに示すように）ボトル１の断面図である。なお、図５Ａから図５Ｈと図２Ａから図２Ｈとの対比と、図１１Ａから図１１Ｇと図１Ａから図１Ｇとの対比に留意されたい。図１Ａから図１Ｇは、棚に置かれた状態で販売される前のボトル１を示している。カバー７は、注出口３と計量段６との間のスペーサとしての役割を果たす。その結果、図１Ａから図１Ｇと図２Ａから図２Ｈとは、注出口３と各室２ａ及び室２ｂとの間に隙間Ｇを示し、該隙間Ｇは、各室２ａ及び室２ｂの肩部１７ａ及び１７ｂを露出させる。隙間Ｇは、注出口３と計量段６との間のカバー７が占める空間によるものである。対照的に、図１１Ａから図１１Ｇと図５Ａから図５Ｈは、カバー７が外されているので、注出口３と各室２ａ及び室２ｂとの間に隙間はなく、室２ａ及び室２ｂの肩部１７ａ及び１７ｂは露出しなくなっている。図７は、（図５Ｈに示すように）ボトル１の別の断面を示している。図８は、注出口３が取り外された状態のボトル１の上面図である。
【００２３】
計量段部６ａは、ノズル９ａと通気管１０ａとを含み、一方で計量段部６ｂは、ノズル９ｂと通気管１０ｂとを含む。説明を容易にするために、以下では主に計量段部６ａについて説明するが、一般には、以下の説明は、計量段部６ｂ、ノズル９ｂ及び通気管１０ｂにも適用可能である。
【００２４】
ノズル９ａは、液体注入口１１aと液体排出口１２ａとを有する。例示的な実施形態において、ノズル９ａは、縦軸ｙに沿って液体注入口１１ａから離れて延在するように液体排出口１２ａに向かって先細りする円錐台形部１３ａを含む。ノズル９ａは、円錐台形部１３ａを取り囲む周縁部１４ａも含んでいる。例示的な実施形態では、周縁部１４ａは、円錐台形部１３ａの最も広い端部を囲む或いは交差する管状壁を含む。別の実施形態では、周縁部１４ａは、管状以外（例えば、正方形、矩形など）の形状の壁を含んでいてもよい。
【００２５】
ノズル９ａ及び９ｂの特殊な形状により、液体が室２ａ及び室２ｂから離れて外側方向に流れるのを促進し、また、各液体がノズル９ａ及び９ｂを通って室２ａ及び室２ｂに入るのを防ぐ。さらに、各円錐台形部１３ａ及び１３ｂを囲む各周縁部１４ａ及び１４ｂは、実質的に、各室２ａ又は２ｂの外側の円錐台形部１３ａ及び１３ｂと周縁部１４ａ及び１４ｂとの間の各ノズル９ａ又は９ｂの通常領域に残留液を溜める或いは捕らえるのに役立ち、自己汚染及び／又は交叉汚染を回避する。
【００２６】
通気管１０ａは、その両端に空気取入口１５ａと空気排出口１６ａとを有する。空気取入口１５ａは、室２ａの外側に配置され、空気排出口１６ａは、室２ａの内側に配置され、それにより液体がノズル９ａを通って室２ａを出ると、空気が通気管１０ａを通って室２ａに入ることができる。
【００２７】
図７の実施形態で示すように、ノズル９ａの液体排出口１２ａと、通気管１０ａの空気取入口１５ａは、略同じ高さ或いは互いに同じ高さにあり、すなわち、液体排出口１２ａと空気取入口１５ａは、任意の点からおおよそ同じ長手方向の距離（すなわち、縦軸ｙに沿った距離）に配置される。例えば、液体排出口１２ａ及び空気取入口１５ａは、計量段部６の本体から同じ長手方向の距離ｄ１に、或いは室２ａの基部１８ａなどから同じ長手方向の距離に配置される。
【００２８】
通気管１０ａ及び１０ｂの長さに関して、一般には、より長い通気管（若しくは、より具体的には、縦軸ｙに沿ったノズル９ａの液体排出口１２ａから通気管１０ａの空気排出口１６ａまでのより長い距離ｄ３）は、より速く空気を室２ａ及び室２ｂに流すようにし、それにより室２ａ及び室２ｂからの液体の流れをより速くする。同様に、一般には、より短い通気管は、室２ａ及び室２ｂに対する空気の流れをより遅くするため、室２ａ及び室２ｂからの液体の流れはより遅くなる。一般に、通気管１０ａ及び１０ｂは、ボトル１を傾ける際、空気排出口１６ａ及び１６ｂと液体排出口１２ａ及び１２ｂとの間に十分な圧力をもたらすのに足りる長さが必要であり、それによって室２ａ及び室２ｂ内の各液体を保持する力を越えて、各液体がボトル１から流れるようになる。従って、通気管１０ａの長さは、室２ａからの注出の開始（すなわち、傾けた後で、どのくらいの速さで液体が室２ａから注出されるか）を制御する。同様に、通気管１０ｂの長さは、室２ｂからの注出の開始（すなわち、傾けた後で、どのくらいの速さで液体が室２ｂから注出されるか）を制御する。それゆえ、通気管１０ａと１０ｂの間の長さの差異や比率は、一方の室からの液体が他方の室からの液体に対してどれだけ早く流出するかを制御するのに使用されてもよい。しかしながら、室２ａ及び室２ｂの長さだけでなく、他の製造上の考慮点も通気管１０ａ及び１０ｂの実際の長さを制限してもよい。
【００２９】
図７の例示的な実施形態では、ボトル１の縦軸ｙに沿った、ノズル９ａの液体排出口１２ａから通気管１０ａの空気排出口１６までの距離ｄ３は、室２ａの高さ（すなわち、肩部１７ａから基部１８ａまでの距離ｄ４）の約３５％に相当する。別の各実施形態では、縦軸ｙに沿った液体排出口１２ａから空気排出口１６ａまでの距離ｄ３は、室２ａの高さの１０％、室２ａの高さの２０％、室２ａの高さの３０％、室２ａの高さの４０％、室２ａの高さの２５％から３３％、室２ａの高さの２０％から４０％、室２ａの高さの１０％から６０％、室２ａの高さの５％から９０％のうちの少なくとも一つに相当する。
【００３０】
液体の流量に影響を及ぼす別の寸法は、横軸ｘと法線軸ｚに沿ったノズル９ａ及び９ｂの液体排出口１２ａ及び１２ｂに対する通気管１０ａ及び１０ｂの空気取入口１５ａ及び１５ｂの位置である。
【００３１】
図８に示すように、通気管１０ａは、空気取入口１５ａの中心と液体排出口１２ａの中心とを通る線Ｌａが、液体排出口１２ａの中心を通りかつボトル１に対して垂直な軸ｚと平行である線ｚａと鋭角αを成すように、ノズル９ａに対して配置される。図８の例示的な実施形態において、角度αは約２７°である。別の実施形態において、角度αは、２５°である。さらに別の実施形態において、角度αは３５°である。一実施形態において、角度αは、４５°である。別の実施形態において、角度αは５４°である。さらに別の実施形態においては、角度αは６０°である。一実施形態では、角度αは、２０°から３０°の間である。別の実施形態では、角度αは、１０°から５０°の間である。さらに別の実施形態では、角度αは、５°以上８５°以下である。一実施形態において、角度αは、−２５°である。別の実施形態において、角度αは−２７°である。さらに別の実施形態では、角度αは、−３５°である。一実施形態では、角度αは−４５°である。別の実施形態では、角度αは−５４°度である。さらに別の実施形態では、角度αは、−６０°である。一実施形態において、角度αは、−２０°から−３０°の間である。別の実施形態では、角度αは、−１０°以上−５０°以下である。さらに別の実施形態では、角度αは、−５°以上−８５°以下である。
【００３２】
同様に、通気管１０ｂは、空気取入口１５ｂの中心と液体排出口１２ｂの中心とを通る線Ｌｂが、液体排出口１２ｂの中心を通りかつボトル１に対して垂直な軸ｚと平行である線ｚｂと鋭角βを成すように、ノズル９ｂに対して配置される。図８の例示的な実施形態では、角度βは約２７°である。別の実施形態では、角度βは２５°である。さらに別の実施形態では、
角度βは３５°である。一実施形態において、角度βは４５°である。別の実施形態では、角度βは５４°である。さらに別の実施形態では、角度βは、６０°である。一実施形態では、角度βは、２０°から３０°の間である。別の実施形態では、角度βは、１０°から５０°の間である。さらに別の実施形態では、角度βは、５°以上から８５°以下である。一実施形態は、角度βは、−２５°である。別の実施形態では、角度βは−２７°である。さらに別の実施形態では、角度βは−３５°である。一実施形態において、角度βは−４５°である。別の実施形態において、角度βは−５４°である。さらに別の実施形態では、角度βは−６０°である。一実施形態では、角度βは、−２０°から−３０°の間である。別の実施形態では、角度βは、−１０°から−５０°の間である。さらに別の実施形態では、角度βは、−５°以上−８５°以下である。
【００３３】
例示的な実施形態において、計量段部６ａの鋭角αは、計量段部６ｂの対応する角度βと同じ角度である。別の実施形態において（不図示）、計量段部６ａの鋭角αは、計量段部６ｂの対応する角度βと異なる。
【００３４】
また、例示的な実施形態では、液体出口１２ａの中心から空気取入口１５ａの中心までの距離ｄ２ａは、通気管１０ａの長さの５％、通気管１０ａの長さの１０％、通気管１０ａの長さの１５％、通気管１０ａの長さの２０％、通気管１０ａの長さの２５％、通気管１０ａの長さの３３％、通気管１０ａの長さの５０％、通気管１０ａの長さの１０％から２５％、及び通気管１０ａの長さの５％から５０％のうちの少なくとも一つに相当する。同様に、液体排出口１２ｂの中心から空気取入口１５ｂの中心までの距離ｄ２ｂは、通気管１０ｂの長さの５％、通気管１０ｂの長さの１０％、通気管１０ｂの長さの１５％、通気管１０ｂの長さの２０％、通気管１０ｂの長さの２５％、通気管１０ｂの長さの３３％、通気管１０ｂの長さの５０％、通気管１０ｂの長さの１０％から２５％、及び通気管１０ｂの長さの５％から５０％のうちの少なくとも一つに相当する。
【００３５】
図７の実施形態に示すように、空気排出口１６ａは、通気管１０ａの壁から径方向内側に伸張するフランジ１９ａによって形成される。フランジ１９ａは、フランジ１９ａに近接する通気管１０ａの内径に対して空気排出口１６ａを小径化し、液体流に対して追加的な制御を行う。
【００３６】
ノズル９ｂに対するノズル９ａの特性（位置、寸法、開口部１２ａの大きさ等）、通気管１０ｂに対する通気管１０ａの特性（位置、寸法、開口部１２ｂの大きさ等）、角度βに対する角度α、及び距離ｄ２ｂに対する距離ｄ２ａは、すべて室２ｂに対する室２ａからの液体の流れを制御するために操作されてもよい。例えば、これらの不確定要素は、各液体のそれぞれの特性（密度、表面張力等）に関わらず、各液体が５０％対５０％の比率になるように液体流の制御に使用されてもよい。別の実施例では、これらの不確定要素は、類似特性を有する各液体が５０％対５０％以外の比率となるように液体流の制御に使用されてもよい。また、通気管１０ａ及び１０ｂの特定構造及びそれらのノズル９ａ及び９ｂに対する特定の位置は、各液体の特性やボトル１の注出角度又は回転に関わらず、室２ａ及び室２ｂから二つの液体が同時に流出し始めることを支援するために使用されてもよい。
【００３７】
例えば、各室２ａ、２ｂに対応する液体の開口部１２ａ、１２ｂを小径化することは、対向する各室２ａ、２ｂ内の液体にとって有利なように５０％対５０％の比率を低減することになる。同様に、各開口部１２ａ及び１２ｂの両方を同時に拡大又は縮小することは、一定の混合比率を維持しながら全体の流量をそれぞれ増加又は減少させることができる。所望の比率が５０％対５０％以外である場合、比率を変更しないまま流量を変更するためには、開口部の口径に対する絶対的変化は、二つの室２ａと２ｂとの間において同一とは限らない。
【００３８】
一般に、通気管の長さｄ３をより短く調整することは、ボトル１が傾けられた際の注出の開始を遅くする。管１０を極端に短く調整することは、流れの開始や安定性を信頼性の低いものにしてしまう。管１０を極端に長く調整することは、製造性や最終組立費用に悪影響を与える虞がある。
【００３９】
軸から外れてボトル１を注ぐとき（すなわち、室２ａは、重力の方向に対して室２ｂより高い又は低いとき）、図８の角度α又は角度βを拡大することは、通常、より低い方の室から液体が流出する前に、より高い方の室から液体が流出し始めるようにする。
【００４０】
一般に、粘性の高い液体は、粘性が少ない液体と同じ流量を実現するためにより大きい液体開口部１２ａ、１２ｂを必要とする（すなわち、その他は全て等しい）。
【００４１】
一般に、表面エネルギーが高い液体は、表面エネルギーが低い液体と比較して、同時に注出開始することを維持するために小さい通気口１６ａ、１６ｂを必要とする（すなわち、その他は全て等しい）。
【００４２】
図５Ａから図５Ｈ、図６及び図７は、注出口３に関して更なる詳細を提供する。注出口３は、第一注出路５ａと第二注出路５ｂとを含む。各注出路５ａ及び５ｂは、第一計量段部６ａ及び第二計量段部６ｂの各ノズル９ａ及び９ｂのそれぞれに対応する。注出路５ａ及び５ｂは、液体入口２０ａ及び２０ｂと液体出口２１ａ及び２１ｂとをそれぞれ含む。説明を容易にするために、以下では主に注出路５ａ、液体入口２０ａ及び液体出口２１ａについて説明するが、一般には、以下の説明は、注出路５ｂ、液体入口２０ｂ及び液体出口２１ｂにも適用できる。
【００４３】
液体入口２０ａは、液体がノズル９ａから流れて、液体入口２０ａを通って注出路５ａに入り、液体出口２１ａを通って注出路５を出ることができるように、各ノズル９ａに連結する。
【００４４】
複室ボトル１の多くの用途では、二つの液体が液体出口２１ａ及び２１ｂから短い距離で合流すること、さらに、二つの液体がキャップ４などの受け容器に落ちる前に「空気中」で混ざり合うことが重要となり得る。例えば、分注時に空気中で各液体の流れを一体化及び実質的に混合することは、注出後にキャップ４内で各液体を混合させる必要性を回避できる。
【００４５】
そのために、注出路５ａの壁２２ａの少なくとも一部は、液体入口２０ａから液体出口２１ａに延在するように、ボトル１の法線中心面（ＮＯＲ）に向かう方向に傾斜する（図６を参照）。これによって、注出路５ａを通過する液体の少なくとも一部をボトル１の法線中心面（ＮＯＲ）に向かって押し出す。さらに、液体出口２１ａは、横軸ｘに沿って法線中心面（ＮＯＲ）から離れて延在するように狭まる（図５Ａを参照）。これにより、注出路５ａから流れる液体が該狭まりを埋め又は該狭まりで絡まることになり、さらに液体出口２１ａから法線中心面（ＮＯＲ）に向かって流れるように液体を押し出すことになる。これが、事実上、液体を注出路５ａの液体出口２１ａから、注出路５ｂの液体出口２１ｂから流れる液体に向かって流すことになる。これによって、各液体を各液体出口２１ａ及び２１ｂから短い距離で合流させ、キャップ４などの受け容器に落ちる前に「空気中」で混合させる。
【００４６】
複室ボトル１の多くの用途において、二つの液体は、ボトル１を出た後でのみ混合されること、また、一方の液体が、ボトル１内でそれ自体或いは他方の液体を汚染しないことは重要であると言える。
【００４７】
そのために、各注出路５ａ及び５ｂは、各液体出口２１ａ及び２１ｂの外周の少なくとも一部を囲む段差縁２３ａ及び２３ｂをそれぞれ含む。各注出路５ａ及び５ｂは、ボトル１の法線中心面（ＮＯＲ）に最も近い各液体出口２１ａ及び２１ｂの一部分に近接して配置される仕切り２４ａ及び２４ｂも含んでいる。各液体出口２１ａ及び２１ｂ付近にある如何なる残留液体も縁２３ａ及び２３ｂの各段差で溜まりやすくなる。段差縁２３ａ及び２３ｂに沿って反対側の液体出口に向かって流れ始める虞がある如何なる残留液体も、対応する仕切り２４ａ及び２４ｂによって反対側の液体出口に到達するのを阻止される。
【００４８】
さらに、注出路５ａの壁２２ａの少なくとも一部は、液体入口２０ａから液体出口２１ａに延在するように、ボトル１の横方向の中心面（ＬＡＴ）から離れる方向に傾斜する。これによって液体を注出口３から注出させるためにボトル１を傾けるべき角度を低減する。
【００４９】
図９及び図１０は、室２ａ及び室２ｂから液体を注出するために傾けられた例示的な複室ボトル１を示している。ボトル１を傾けると、各液体は、重力に支援されてそれぞれの室２ａ、２ｂから流れて注出口３の外へ出る。例示的な実施形態では、注出口３は、使用者の指に対応する把持部３ａを含む。ボトル１を注ぐ時、室２ａ及び室２ｂは重力の方向と等しいのが理想的であり、すなわち、室２ａは、室２ｂよりも高くも低くもないのが理想的である。しかしながら、ボトル１は、重力と等しい方向とは異なる角度範囲内で適切に機能する。把持部３ａは、使用者が各室２ａ及び２ｂをこの範囲内にとどめるようにボトル１を傾けることを支援する構成となっている。使用者が指を把持部３ａに当ててボトル１を傾けるとき、把持部３ａは、使用者の手によって使用者が当該範囲内でボトル１を傾けるのを支援するように機能する。一実施形態では、把持部３ａは、室２ａ及び室２ｂが重力の方向に等しくなる理想的な４５度の位置までの範囲で使用者がボトル１を傾けるのを支援するように機能し、すなわち、把持部３ａは、使用者が、重力の方向に対して垂直である線と線ｘ（図８参照）とによって形成された角度が０以上４５度以下の範囲内になるようにボトル１を傾けるように支援を行う。
【００５０】
上述のような注出口３及び計量段６の特定構造を含むボトル１の構造によって、第二室２ｂ内の液体に対する第一室２ａの液体の流量比を実質的に低下させることなく、また、交叉汚染することなく、軸ｘ、軸ｙ又は軸ｚごとのさまざまな角度でボトル１を傾けることができ、さらに捻ることもできる。
【００５１】
図１１Ａから図１１Ｇは、初回使用後の保管形態時の例示的なボトル１を示している。キャップ４は、ボトル１に再装着されている。キャップ４の注出口３との境界面は、キャップ４がボトル１に装着されると、注出口３を略封止する形状になっている。キャップ４の一部は、段差縁２３ａ及び２３ｂと仕切り２４ａ及び２４ｂとを含む注出口３の液体出口２１ａ及び２１ｂに対応する。従って、キャップ４がボトル１に装着されると、キャップ４のこれらの部分は、液体が注出口３の各液体出口２１ａ及び２１ｂを通って流出するのを妨げる。
【００５２】
一実施形態において、キャップ４は、ボトル１に装着されていないときは、その中に二つの液体の混合物を注出する容器として使用されてもよい。キャップ４は、室２ａ及び室２ｂから注出された各液体の組み合わせの投与量の表示器として機能する投与段階を含んでいてもよい。
【００５３】
各実施例を説明することによって例示的なシステム、方法などを示し、また、各実施例をかなり詳細に説明してきたが、添付の請求項の範囲をそのような詳細に制限する或いは何らかの限定を行うことを意図していない。当然のことながら、本明細書に記載の各システム、方法などを説明する目的で、構成要素又は方法論の想定できるすべての組み合わせを説明することはできない。さらなる利点や修正点は、当業者にとって容易であるであろう。それゆえ、本発明は、特定の詳細や、図示又は説明された例示的な実施例に制限されるものではない。従って、本願は、添付の請求項の範囲内にある代替、変更、変形を含むことを意図している。さらに、前述の説明は、本発明の範囲を限定するものではない。むしろ、本発明の範囲は、添付の請求項及びそれらの同等物によって決定されるものである。
【００５４】
「含む」又は「含んでいる」という用語が詳細な説明又は各請求項で採用される限りにおいて、「備える」という用語が請求項で移行句として採用される際の解釈と同様の方法で包括的であることを意図している。さらに、「又は（或いは）」という用語が詳細な説明又は各請求項で採用される限りにおいて（例えば、Ａ又はＢ）、それは「Ａ又はＢ又は両方」を意味する。出願人が「Ａ又はＢのみであって両方ではない」と示したい場合、「Ａ又はＢのみであって両方ではない」という表現が採用される。従って、本明細書における「又は（或いは）」という用語の使用は包括的であり、排他的な使用ではない。ＢＲＹＡＮ  Ａ．  ＧＡＲＮＥＲ著、Ａ  ＤＩＣＴＩＯＮＡＲＹ  ＯＦ  ＭＯＤＥＲＮ  ＬＥＧＡＬ  ＵＳＡＧＥ６２４（第三版、１９９５年）を参照されたい。
【図１Ａ】
2015221691.tif 000003
【図１Ｂ】
2015221691.tif 000004
【図１Ｃ】
2015221691.tif 000005
【図１Ｄ】
2015221691.tif 000006
【図１Ｅ】
2015221691.tif 000007
【図１Ｆ】
2015221691.tif 000008
【図１Ｇ】
2015221691.tif 000009
【図１Ｈ】
2015221691.tif 000010
【図１Ｉ】
2015221691.tif 000011
【図２Ａ】
2015221691.tif 000012
【図２Ｂ】
2015221691.tif 000013
【図２Ｃ】
2015221691.tif 000014
【図２Ｄ】
2015221691.tif 000015
【図２Ｅ】
2015221691.tif 000016
【図２Ｆ】
2015221691.tif 000017
【図２Ｇ】
2015221691.tif 000018
【図２Ｈ】
2015221691.tif 000019
【図３Ａ】
2015221691.tif 000020
【図３Ｂ】
2015221691.tif 000021
【図３Ｃ】
2015221691.tif 000022
【図３Ｄ】
2015221691.tif 000023
【図３Ｅ】
2015221691.tif 000024
【図３Ｆ】
2015221691.tif 000025
【図３Ｇ】
2015221691.tif 000026
【図４Ａ】
2015221691.tif 000027
【図４Ｂ】
2015221691.tif 000028
【図４Ｃ】
2015221691.tif 000029
【図４Ｄ】
2015221691.tif 000030
【図４Ｅ】
2015221691.tif 000031
【図４Ｆ】
2015221691.tif 000032
【図４Ｇ】
2015221691.tif 000033
【図５Ａ】
2015221691.tif 000034
【図５Ｂ】
2015221691.tif 000035
【図５Ｃ】
2015221691.tif 000036
【図５Ｄ】
2015221691.tif 000037
【図５Ｅ】
2015221691.tif 000038
【図５Ｆ】
2015221691.tif 000039
【図５Ｇ】
2015221691.tif 000040
【図５Ｈ】
2015221691.tif 000041
【図６】
2015221691.tif 000042
【図７】
2015221691.tif 000043
【図８】
2015221691.tif 000044
【図９】
2015221691.tif 000045
【図１０】
2015221691.tif 000046
【図１１Ａ】
2015221691.tif 000047
【図１１Ｂ】
2015221691.tif 000048
【図１１Ｃ】
2015221691.tif 000049
【図１１Ｄ】
2015221691.tif 000050
【図１１Ｅ】
2015221691.tif 000051
【図１１Ｆ】
2015221691.tif 000052
【図１１Ｇ】
2015221691.tif 000053
【外国語明細書】
2015221691000001.pdf